【手続補正書】
【提出日】平成23年10月28日(2011.10.28)
【手続補正１】
【補正対象書類名】特許請求の範囲
【補正対象項目名】全文
【補正方法】変更
【補正の内容】
【特許請求の範囲】
【請求項１】
実行すべき処理が定義されたプロセス定義チケットに基づいて処理を実行可能な複数のデバイスを選択する選択手段と、
前記選択手段で選択された複数のデバイスそれぞれの能力情報を取得する取得手段と、
前記取得手段で取得された前記複数のデバイスそれぞれの能力情報に基づいて当該複数のデバイスで共通に備える機能を特定し、当該特定された機能に関する処理を定義するためのプロセス定義チケットのテンプレートを生成するテンプレート生成手段と、
前記テンプレート生成手段によって生成された前記テンプレートに基づいて、プロセス定義チケットを作成するチケット作成手段と、
を有することを特徴とする情報処理装置。
【請求項２】
前記選択手段で選択された前記複数のデバイスで共通に備える機能が特定されないとき、その旨をユーザに通知する通知手段を更に有することを特徴とする請求項１に記載の情報処理装置。
【請求項３】
前記選択手段で選択された前記複数のデバイスで共通に備える機能が特定されないとき、前記選択手段により再度デバイスを選択させる選択制御手段を更に有することを特徴とする請求項１又は２に記載の情報処理装置。
【請求項４】
前記チケット作成手段は、前記テンプレート生成手段によって生成されたテンプレートに基づいて各機能に関してユーザが選択した処理が定義されたプロセス定義チケットを作成することを特徴とする請求項１乃至３の何れか１項に記載の情報処理装置。
【請求項５】
前記チケット作成手段によって作成されたプロセス定義チケットを、前記複数のデバイスそれぞれが所定のプロセス定義チケットに基づく処理が実行できなかった場合に代わりに使用するプロセス定義チケットとして登録する登録手段を更に有することを特徴とする請求項１乃至４の何れか１項に記載の情報処理装置。
【請求項６】
実行すべき処理が定義されたプロセス定義チケットであって、デバイス又はユーザに対応するプロセス定義チケットを特定する特定手段と、
前記デバイスの能力情報を取得する取得手段と、
前記特定手段によって特定されたプロセス定義チケットと前記取得手段によって取得された能力情報とに基づいて、前記デバイスが前記特定されたプロセス定義チケットに定義された処理を実行できるかどうかを判定する判定手段と、
前記判定手段により実行できないと判定された場合、前記特定されたプロセス定義チケットの代わりに使用すべき代替プロセス定義チケットを、前記デバイスに提供するプロセス定義チケットとして決定する決定手段と、
を有することを特徴とする情報処理装置。
【請求項７】
前記決定手段は、予め設定された優先情報に応じて決定することを特徴とする請求項６に記載の情報処理装置。
【請求項８】
複数のデバイスと情報処理装置とをネットワークを介して接続した情報処理システムであって、
実行すべき処理が定義されたプロセス定義チケットに基づいて処理を実行可能な複数のデバイスを選択する選択手段と、
前記選択手段で選択された複数のデバイスそれぞれの能力情報を取得する取得手段と、
前記取得手段で取得された前記複数のデバイスそれぞれの能力情報に基づいて当該複数のデバイスで共通に備える機能を特定し、当該特定された機能に関する処理を定義するためのプロセス定義チケットのテンプレートを生成するテンプレート生成手段と、
前記テンプレート生成手段によって生成された前記テンプレートに基づいて、プロセス定義チケットを作成するチケット作成手段と、
前記作成手段により作成された前記プロセス定義チケットを登録する登録手段と、
を有することを特徴とする情報処理システム。
【請求項９】
複数のデバイスと情報処理装置とをネットワークを介して接続した情報処理システムであって、
実行すべき処理が定義されたプロセス定義チケットであって、前記複数のデバイスのそれぞれ又はユーザに対応するプロセス定義チケットを特定する特定手段と、
前記複数のデバイスの能力情報を取得する取得手段と、
前記特定手段により特定されたプロセス定義チケットと前記取得手段によって取得された能力情報とに基づいて、前記複数のデバイスそれぞれが前記特定されたプロセス定義チケットに定義された処理を実行できるかどうかを判定する判定手段と、
前記判定手段により実行できないと判定された場合、前記特定されたプロセス定義チケットの代わりに使用すべき代替プロセス定義チケットを、前記複数のデバイスそれぞれに提供するプロセス定義チケットとして決定する決定手段と、
を有することを特徴とする情報処理システム。
【請求項１０】
複数の処理からなるプロセスを定義するプロセス定義チケットを作成する情報処理装置の制御方法であって、
選択手段が、実行すべき処理が定義されたプロセス定義チケットに基づいて処理を実行可能な複数のデバイスを選択する選択工程と、
取得手段が、前記選択工程で選択された複数のデバイスそれぞれの能力情報を取得する取得工程と、
テンプレート生成手段が、前記取得工程で取得された前記複数のデバイスそれぞれの能力情報に基づいて当該複数のデバイスで共通に備える機能を特定し、当該特定された機能に関する処理を定義するためのプロセス定義チケットのテンプレートを生成するテンプレート生成工程と、
前記テンプレート生成工程で生成された前記テンプレートに基づいて、プロセス定義チケットを作成するチケット作成工程と、
を有することを特徴とする情報処理装置の制御方法。
【請求項１１】
プロセス定義チケットに基づいてデバイスの処理を制御する情報処理装置の制御方法であって、
特定手段が、実行すべき処理が定義されたプロセス定義チケットであって、デバイス又はユーザに対応するプロセス定義チケットを特定する特定工程と、
取得手段が、前記デバイスの能力情報を取得する取得工程と、
判定手段が、前記特定工程で特定されたプロセス定義チケットと前記取得工程で取得された能力情報とに基づいて、前記デバイスが前記特定されたプロセス定義チケットに定義された処理を実行できるかどうかを判定する判定工程と、
決定手段が、前記判定工程で実行できないと判定された場合、前記特定されたプロセス定義チケットの代わりに使用すべき代替プロセス定義チケットを、前記デバイスに提供するプロセス定義チケットとして決定する決定工程と、
を有することを特徴とする情報処理装置の制御方法。
【請求項１２】
請求項１０又は１１に記載の制御方法の各工程をコンピュータに実行させるためのプログラム。
【手続補正２】
【補正対象書類名】明細書
【補正対象項目名】０００７
【補正方法】変更
【補正の内容】
【０００７】
上記目的を達成するために本発明の一態様に係る情報処理装置は以下のような構成を備える。即ち、
実行すべき処理が定義されたプロセス定義チケットに基づいて処理を実行可能な複数のデバイスを選択する選択手段と、
前記選択手段で選択された複数のデバイスそれぞれの能力情報を取得する取得手段と、
前記取得手段で取得された前記複数のデバイスそれぞれの能力情報に基づいて当該複数のデバイスで共通に備える機能を特定し、当該特定された機能に関する処理を定義するためのプロセス定義チケットのテンプレートを生成するテンプレート生成手段と、
前記テンプレート生成手段によって生成された前記テンプレートに基づいて、プロセス定義チケットを作成するチケット作成手段と、を有することを特徴とする。
【手続補正３】
【補正対象書類名】明細書
【補正対象項目名】０００８
【補正方法】変更
【補正の内容】
【０００８】
上記目的を達成するために本発明の一態様に係る情報処理システムは以下のような構成を備える。即ち、
複数のデバイスと情報処理装置とをネットワークを介して接続した情報処理システムであって、
実行すべき処理が定義されたプロセス定義チケットに基づいて処理を実行可能な複数のデバイスを選択する選択手段と、
前記選択手段で選択された複数のデバイスそれぞれの能力情報を取得する取得手段と、
前記取得手段で取得された前記複数のデバイスそれぞれの能力情報に基づいて当該複数のデバイスで共通に備える機能を特定し、当該特定された機能に関する処理を定義するためのプロセス定義チケットのテンプレートを生成するテンプレート生成手段と、
前記テンプレート生成手段によって生成された前記テンプレートに基づいて、プロセス定義チケットを作成するチケット作成手段と、
前記作成手段により作成された前記プロセス定義チケットを登録する登録手段と、を有することを特徴とする。
【手続補正４】
【補正対象書類名】明細書
【補正対象項目名】０００９
【補正方法】変更
【補正の内容】
【０００９】
上記目的を達成するために本発明の一態様に係る情報処理装置の制御方法は以下のような構成を備える。即ち、
複数の処理からなるプロセスを定義するプロセス定義チケットを作成する情報処理装置の制御方法であって、
選択手段が、実行すべき処理が定義されたプロセス定義チケットに基づいて処理を実行可能な複数のデバイスを選択する選択工程と、
取得手段が、前記選択工程で選択された複数のデバイスそれぞれの能力情報を取得する取得工程と、
テンプレート生成手段が、前記取得工程で取得された前記複数のデバイスそれぞれの能力情報に基づいて当該複数のデバイスで共通に備える機能を特定し、当該特定された機能に関する処理を定義するためのプロセス定義チケットのテンプレートを生成するテンプレート生成工程と、
前記テンプレート生成工程で生成された前記テンプレートに基づいて、プロセス定義チケットを作成するチケット作成工程と、を有することを特徴とする。